(57)【要約】      （修正有）【課題】トランジスターを使用し、光を当てると、抵抗値の変わる素子を利用して、光を当てられると、機器が信号を発生するセキュリティー装置を提供する。【解決手段】可変抵抗により適当な電圧を掛けて適度に動作するように調整し、可変抵抗により適度な暗さで適度に動作するように調整した本考案１７は、光の少ないか光の無い空間に、本考案を設置し、光２０を当てると、素子により点１４は、正極と同じか近い電圧が掛かる様になる。【選択図】図５
0003204947.tif 000002
【実用新案登録請求の範囲】
【請求項１】
１．光が入射すると、２．抵抗値が大きくなる素子（１）から出ている、３．二本の導線のうち、４．片方は、５．抵抗（３）の両端から出ている導線の片方と可変抵抗（４）の片方と、６．繋がっていて（図１）、７．素子（１）のもう片方の導線は、８．抵抗（３）の両端から出ている導線の片方と、９．可変抵抗（１６）の片方と、１０．交わり点（１５）で繋がって（図１）、１１．可変抵抗（４）のもう片方から出ている導線は、１２．正極（１１）と繋がって、１３．可変抵抗（１６）のもう片方の導線は、１４．負極（１２）と繋がっていて、１５．交わり点（１５）は導線で端（２）（図１）まで、１６．繋がっていて、１７．その端（２）（図１）は、１８．端（５）（図３）に繋がっていて、１９．その端（５）は、２０．抵抗（６）の片方の導線と、２１．繋がっていて、２２．抵抗（６）のもう片方から出た導線は、２３．片方が負極（１２）と繋がっている抵抗（７）から出ている導線と、２４．トランジスター（８）のベースと繋がっていて、２５．トランジスター（８）のエミッターは、２６．負極（１２）と、２７．繋がっていて、２８．トランジスター（８）のコレクターは、２９．片方が正極（１１）と繋がった、３０．抵抗（９）と端（１０）とに、３１．繋がっていて（図３）、３２．さらに、３３．その端（１０）は、３４．図２のような、３５．端（５）と端（１０）の間を構成する回路（図２）の端（５）と繋がっていて、３６．さらに、３７．その端（１０）は、３８．図２のような、３９．端（５）と端（１０）の間を構成する回路（図２）の端（５）と、４０．繋がっており、４１．その端（１０）からは、４２．点（１３）に伸びる導線が出ていて、４３．その端（１０）は、４４．さらに、４５．図２のような、４６．端（５）と端（１０）の間を構成する回路（図２）の端（５）と繋がっていて、４７．その端（１０）からは、４８．点（１４）に繋がる導線が出ていて、４９．回路全体として、５０．何も繋がっていない点（１３）（図３）と、５１．何も繋がっていない点（１４）（図３）が存在するセキュリティー装置（図３）。
【考案の詳細な説明】
【技術分野】
【０００１】  本考案は、パルスの発生方法の技術に属する。
【背景技術】
【０００２】  トランジスターの性質による、エミッターとベース間の電流の発現現象の利用。
【先行技術文献】
【特許文献】
【０００３】
【特許文献１】  特許公開（特許公開２０１４−０８７０４０）
【特許文献２】  特許公開（特許公開２０１３−１１８６０２）
【実用新案文献１】
登録第３１９７１９４号
【考案の概要】
【考案が解決しようとする課題】
【０００４】  光が当たるとそのエネルギーで、抵抗値が大きくなる素子（１）を使用して、信号を発生させる回路を、実用新案登録第３１９７１９４号で使用した回路を使用して、達成する事。【０００５】  その為には、光が当たるとそのエネルギーで、抵抗値が大きくなる素子（１）のコントロールが必要である。【０００６】  また、使用する正極（１１）の電圧が限られないように、する技術の確立。
【課題を解決するための手段】
【０００７】  光が当たるとそのエネルギーで、抵抗値が大きくなる素子（１）に、抵抗（３）を付ける事で、素子（１）の抵抗の変化を、使い易い様にコントロール出来るようになった。【０００８】  可変抵抗（１６）を付ける事で、トランジスターへの入力電圧をコントロール出来る様になり、正極（１１）に掛ける電圧に寄らず、素子（１）をコントロール、つまり、素子（１）に光を当てた時に、可変抵抗（１６）で調整することにより、点（１３）（図３）で電圧が負極（１２）に近い値とする事が出来る様になった。【０００９】  また、可変抵抗（４）を付ける事で、抵抗（３）で挟まれてコントロールされた素子（１）の抵抗の値を、さらに、微細にコントロール出来る様になった。【００１０】  点（１３）（図３）で電圧が負極（１２）に近い値とする事が出来る様になると、点（１４）は正極（１１）に近い値となり、セキュリティー装置と繋ぐ事により、セキュリティー装置として、働くようになる。【００１１】  図２のような、端（５）と端（１０）の間を構成する回路（図２）を多数付ければ、信号の数が増え、それを受ける装置も増やせる。
【考案の効果】
【００１２】  本考案の可変抵抗（１６）により、３ボルトの正極（１１）電圧でも、９ボルトの正極（１１）電圧でも、可変抵抗（１６）を調整することにより、素子（１）に光を当てた時に、点（１３）（図３）で電圧が負極（１２）に近い値とする事が出来る様になった。【００１３】  本考案の可変抵抗（４）と抵抗（３）により、可変抵抗（４）を調整する事により、素子（１）に光を当てない時に、どのくらいの暗さで、点（１３）（図３）において電圧を正極（１１）に近い値と出来るかの光の量をコントロールする事が出来る様になった。
【図面の簡単な説明】
【００１４】
【図１】  考案の回路の一部、素子（１）付近。
【００１５】
【図２】  考案の繰り返し使用する所の回路図。
【００１６】
【図３】  図１の端（２）と図の端（５）を繋げると本考案の全回路図となる。
【考案を実施するための形態】
【００１７】  可変抵抗（１６）により適当な電圧を掛けて適度に動作するように調整し、可変抵抗（４）により適度な暗さで適度に動作するように調整した本考案は、光の少ないか光の無い空間に、本考案を設置すると、素子（１）により点（１３）（図３）は、正極（１１）と同じか近い電圧が掛かる様になる。
【００１８】  その時、点（１３）（図３）の電圧を制御しているトランジスター（８）の抵抗（９）に掛ける正極（１１）の電圧に、違う値の電圧をＤＣ−ＤＣコンバーターなどで掛けると、ＤＣ−ＤＣコンバーターの出力の電圧が点（１３）（図３）の電圧となるが、正極（１１）をすべて同じ電圧とする事も出来る。
【実施例】
【００１９】  本考案の点（１３）（図３）に、Ｓｉｌｉｃｏｎ  Ｎ  Ｃｈａｎｎｅｌ  ＭＯＳ  ＦＥＴ（１８）などを繋ぎ、そのＦＥＴ（１８）に電球などを繋ぐと、暗闇では、電球（１９）（図４）が光るようになる。【００２０】  また、素子（１）の近くに電球（１９）（図４）を置くと、電球（１９）（図４）が灯ったり消えたりして、発信させることが出来、暗闇の中で、セキュリティー装置として働く。【００２１】  本考案の点（１４）（図３）は、暗闇の中で、本考案に光を当てると、点（１４）（図３）は正極（１１）の電圧となり、他の装置に信号を発信する（図５）。
【産業上の利用の可能性】
【００２２】  暗闇の中で、わずかな光を放ち（図４）、明るいところでは自動に消灯し、誰かが本考案に光を当てると、本考案は信号を発する。
【００２３】  暗闇の中で、照明機能の無い様にした本考案に光を当てると、気づかれずに、信号を発する。
【符号の説明】
【００２４】１．  光を当てると、抵抗値が変わる素子
２．  端
３．  任意の値の抵抗
４．  可変抵抗
５．  端
６．  任意の値の抵抗
７．  任意の値の抵抗
８．  トランジスター
９．  任意の値の抵抗
１０．端
１１．正極
１２．負極
１３．導線の端付近の点
１４．導線の端付近の点
１５．導線上の交わる点
１６．可変抵抗
１７．本考案
１８．Ｓｉｌｉｃｏｎ  Ｎ  Ｃｈａｎｎｅｌ  ＭＯＳ  ＦＥＴ
１９．電球
２０．光
２１．電圧による信号
【図１】
0003204947.tif 000003
【図２】
0003204947.tif 000004
【図３】
0003204947.tif 000005
【図４】
0003204947.tif 000006
【図５】
0003204947.tif 000007
【手続補正書】
【提出日】平成28年1月31日(2016.1.31)
【手続補正１】
【補正対象書類名】実用新案登録請求の範囲
【補正対象項目名】全文
【補正方法】変更
【補正の内容】
【実用新案登録請求の範囲】
【請求項１】
光が入射すると、抵抗値が大きくなる素子（１）から出ている、二本の導線のうち、片方は、抵抗（３）の両端から出ている導線の片方と可変抵抗（４）の片方と、繋がっていて、素子（１）のもう片方の導線は、抵抗（３）の両端から出ている導線の片方と、可変抵抗（１６）の片方と、交わり点（１５）で繋がっていて、可変抵抗（４）のもう片方から出ている導線は、正極（１１）と繋がって、可変抵抗（１６）のもう片方の導線は、負極（１２）と繋がっていて、交わり点（１５）は導線で端（２）まで、繋がっていて、その端（２）は、端（５）に繋がっていて、その端（５）は、抵抗（６）の片方の導線と、繋がっていて、抵抗（６）のもう片方から出た導線は、片方が負極（１２）と繋がっている抵抗（７）から出ている導線と、トランジスター（８）のベースと繋がっていて、トランジスター（８）のエミッターは、負極（１２）と、繋がっていて、トランジスター（８）のコレクターは、片方が正極（１１）と繋がった、抵抗（９）と端（１０）とに、繋がっていて、ここで、この端（５）と端（１０）の間の回路で構成されている回路は、この考案の一部分を成す構成単位であり、先の端（１０）は、この構成単位と同じ回路と端（５）で、さらに、繋がっており、この繋がった構成単位の端（１０）は、さらに、この考案の一部分を成す構成単位の端（５）と繋がっており、この構成単位の端（１０）からは、導線（１３）が出ていて、この端（１０）は、さらに、この考案の一部分を成す構成単位の端（５）と繋がっており、この構成単位の端（１０）からは、導線（１４）が出ている、セキュリティー装置。
【手続補正２】
【補正対象書類名】明細書
【補正対象項目名】００１６
【補正方法】変更
【補正の内容】
【００１６】
【図３】図１の端（２）と図３の端（５）を繋げると本考案の全回路図となる。
【図４】本考案に自然光が当たると電球が発光する様子。
【図５】本考案に自然光が当たると一定の電圧が出力される様子。